(57)【特許請求の範囲】
【請求項１】
最初に１〜１０本のかつら取付糸の先端部を、部屋の壁や作業台の柱など頭部と離れて設けた固定部、又は、頭部の最初の編込部の逆進行方向（編込の進行方向に対して）の毛束にとりつけた固定部に、固定しておき、頭部の無毛個所又は／及び薄毛個所の周辺に残った毛髪を少しづつまとめた毛束と１〜１０本のかつら取付糸とを編んで編込部を作り、該編込部によってかつら取付糸を順次頭部に固定させて１〜１０本のかつら取付糸は、その頭部に捲回させ、最後に、最初の１〜１０本のかつら取付糸と連結することを特徴とする１〜１０本のかつら取付糸によるかつらの取付部の固定・形成方法。
【請求項２】
固定された１〜１０本のかつら取付糸の先端部が、毛束と１〜１０本のかつら取付糸とで編んだ編込部によって１〜１０本のかつら取付糸が固定された後は、とりはずし又は切断されることを特徴とする請求項１に記載のかつらの取付部の固定・形成方法。
【請求項３】
１〜１０本のかつら取付糸を用いて、毛髪の毛束と取付糸との編込部を作りながら、取付糸を捲回させるに際し、１〜１００束、好ましくは１〜１０束の毛束のセット毎に取付糸の結び目及び／又は取付糸と毛束との結び目をつくることを特徴とする請求項１〜２のいずれかの項に記載のかつらの取付部の固定・形成方法。
【請求項４】
かつら取付糸が天然繊維、化学繊維、金属繊維、ゴム状繊維などの撚り糸、テグス、ワイヤーもしくはこれらの組合せからなることを特徴とする請求項１〜３のいずれかの項に記載のかつらの取付部の固定・形成方法。
【請求項５】
１本のかつら取付糸を用いて作る編込部が、最初に毛髪の毛束を取付糸の下をくぐらせて、毛束を取付糸に１〜１０回巻き、最後は毛束を取付糸の上から手前にたらし、そのたらした毛束の上に次の毛髪の毛束で押さえて、取付糸の下をくぐらせて交叉させ、毛束を取付糸に１〜１０回巻き、最後は毛束を取付糸の上から手前にたらし、そのたらし毛束の上に次の次の毛髪の毛束で押さえて、取付糸の下をくぐらせて交叉させ、後は順次同様に編み、編込部を詰めることを特徴とする請求項１〜４のいずれかの項に記載のかつらの取付部の固定・形成方法。
【発明の詳細な説明】
【０００１】
【発明の属する技術分野】
本発明は、かつらやヘアーピースをとりつける場合の取付部を固定し、形成する方法に関するものである。
【０００２】
【従来の技術】
図１には、２本のかつら取付糸１、２を用い、頭部の無毛個所の周辺に残った毛髪を少しづつまとめた毛束と取付糸１、２とで編み込み、その編み込みによって取付糸１、２は順次頭部に固定状態とし、２本の取付糸は頭部を捲回させ、最後に結び目３を作り、固定させる２本のかつらの取付部の固定・形成方法を示している。固定されたかつらの取付部には植毛４されたかつら５をかがり糸６によって順次かがり付けして強固にかつらが頭部に固定される。
【０００３】
図１のかつらの取付糸の固定・形成方法は従来行なわれているものであるが、問題は最初の毛束と取付糸の編み込む時にある。
即ち、技術者が最初の編み込む時、２本の取付糸は取付糸の先端から編み込み部までピーンと張った状態でなければ、毛束をつかんでうまく編み込むことができないので、取付糸の先端を別の技術者か又はかつらを取り付けてもらっている人に持ってもらって編み込みの作業を行い、少くとも編み込み部が５個程度できて、ある程度固定したら、手をはなしても作業を続けることができたのである。
【０００４】
【発明が解決しようとする課題】
本発明では、１〜１０本のかつら取付糸を用いてからの取付部を固定・形成する際に、別の技術者やかつらを取りつけてもらっている人に１〜１０本のかつら取付糸をしっかり持ってもらうことをしないで、技術者１人で１〜１０本のかつら取付糸とも毛髪の毛束との編み込みから取付糸の捲回及び連結までのすべてを行うことを目的とした。
【０００５】
【課題を解決するための手段】
本発明においては、１〜１０本のかつら取付糸の先端部をまとめて固定しておけば、すべてのかつら取付糸は一様にピーンと張った状態となり、１人の技術者でも１〜５０本の毛髪の毛束をつかんで取付糸と編み込んで行く作業がきわめて順調にはかどるのである。
【０００６】
１〜１０本のかつら取付糸の先端部は、部屋の壁や作業台上の柱など頭部と離れて設けた固定部、又は、頭部の最初の編込部の逆進行方向の毛束にとりつけた固定部に固定される。
また、この際、２〜１０本のかつら取付糸を使用するときは、全部一緒に固定すると、全部が同じ張り具合でピーンと張り、作業がやりやすくなるので、好ましい。
【０００７】
図２は壁７にフック８をとりつけ、このフック８に１本のかつら取付糸９の先端を金属輪１０にむすびつけたものをひっかけて固定１１した状態を示している。
このように、かつら取付糸を、ささえ棒１２に着脱自在に取りつけた巻き部材１３と固定１１の間にピーンと張っておけば、技術者は１人で、毛髪の毛束の編み込み作業を順調に行うことができる。
【０００８】
図３は、かつらをとりつける人の頭部の最初の編込部１４の逆進行方向の毛髪の毛束１５をクリップ１６ではさみ、クリップ１６にとりつけた金属輪１７にかつら取付糸の先端を結んで固定１８されるところを示している。
このように、ささえ棒１２に着脱自在に取りつけた巻き部材１９と固定１８の間のかつら取付糸２０は前頭部を捲回して、ピーンと張られ、技術者は１人で最初の編込部１４から順調に毛束の編み込み作業を行うことができる。
この際、かつらをとりつける人の頭部が後に引っ張られることは、固定した枕をつけた椅子を使用すれば、問題はない。
【０００９】
図４は壁２１にフック２２をとりつけ、これに金属輪２３と金属輪２４をゴム糸又は伸縮性素材２５で連結した固定具を掛けたものを用意し、金属輪２４には４本のかつら取付糸をまとめて結び固定２６した状態を示すものである。
このように、図４の方法によれば、かつら取付糸を４本用いて、毛髪の毛束を編み込む際に、４本が同程度に張りをもたらすことができ、かつ、ゴム糸又は伸縮性素材２５によって少し引っ張って毛束を編み込むときも、自由に引っ張ることができ、かつらの取付部の固定・形成がスムーズに進行するのである。
【００１０】
かつら取付糸は、天然繊維、化学繊維、金属繊維、ゴム状繊維から選ばれ、そのままの糸や撚り糸や混合撚り糸などもあり、強い撚り糸、テグス、ワイヤーやこれらの組合せのものも有効に使用される。
丈夫な化学繊維としては、レーヨン、ポリノシック、キュプラ、アセテート、トリアセテート、プロミックス、ナイロン、ポリエステル、アクリル系、ビニロン、ポリウレタンなどがあり、また、無機繊維としては金糸、銀糸、ガラス繊維、岩石繊維などがあり、更に強固に止める繊維としては、伸縮性のあるニットやゴム、スパンデックスがあり、また、これらの各種繊維を混合して撚り糸にしたものなどが有効に使用される。
【００１１】
本発明においては、１〜２０本、好ましくは１〜１０本、より好ましくは１〜４本のかつら取付糸を用いてかつらの取付部が形成されるが、糸や毛束の編み込み等を工夫すれば、本発明の方法で２１本から３０本でもかつら取付糸の使用は可能である。
本発明においては、図５から図９に示すように、４本から１本のかつら取付糸を使用するのが好ましい。５本から３０本のかつら取付糸を使用する場合は、２〜５本づつ毛束の編み込みに使用したり、毛束の編み込みに使用しない部分を作ったりして、かつら取付部を固定し、形成することができる。
【００１２】
図５は４本のかつら取付糸２７、２８、２９、３０を用いて、毛根部分３１から１〜５０本の毛髪を毛束３２としてつかみ、毛束をかつら取付糸の下を一本おきにくぐらせ、１回（１回目）下に戻ったら毛束を引いて４本のかつら取付糸をまとめ、更に編んだ部分を毛根部分３１に詰め、次に毛束をかつら取付糸の下を一本おきにくぐらせ、１回（２回目）下に戻ったら１回目と同じに、かった取付糸のまとめと毛束の詰めを行い、更に３回目も同じにして毛束を編み込む工程を示している。
【００１３】
図６は３本のかつら取付糸３３、３４、３５を用いて、毛根部分３６から１〜５０本の毛髪を毛束３７としてつかみ、毛束を取付糸３４の下をくぐらせ取付糸３３の上から下にくぐらせ、取付糸３４の上を通過し、取付糸３５の下をくぐらせて、３本の取付糸をまとめ、毛束を毛根部分３６に詰め、次に毛束は取付糸３５の上を通過させ、取付糸３４の下をくぐらせ、取付糸３３の上から下にくぐらせ、取付糸３４の上を通過し、取付糸３５の下をくぐらせ、３本の取付糸をまとめ、毛束を毛根部分３６に詰めて、毛束を編み込む工程を示している。
【００１４】
図７は２本のかつら取付糸３８、３９を用いて、毛根部分４０から５〜２０本の毛髪を毛束４１としてつかみ、毛束を取付糸３９の下をくぐらせて、取付糸３８の上から下にくぐらせ、次に取付糸３９の下から下にくぐらせ、取付糸３８の上から、毛束と毛束の間に向って、取付糸３８の下をくぐらせ、毛束は毛根部分４０に向ってしめると同時に詰めて、毛束を編み込む工程を示している。
【００１５】
本発明においては、１〜１０本のかつら取付糸を用いて、毛髪の毛束と取付糸との編込部を作りながら、取付糸を捲回させる際に、１〜１００束好ましくは１〜１０束の毛束のセット毎に取付糸の結び目又は／及び取付糸と毛束との結び目を作って、丈夫なかつらの取付部を固定し、形成させることができる。
【００１６】
図８は３本のかつら取付糸ａ、ｂ、ｃを用いて、図６に示す毛髪の毛束の編み込みと同じに編み込んだ編込部２５づつを１セットとし、１セット毎に取付糸の結び目Ｘ、Ｙを作成し、強固なかつらの取付部を作る工程を示している。まず、左から取付糸ａを用い取付糸ｂ、ｃの２本に対して、ボタンかがり用結びで結んで結び目Ｘを作り、その結び目と編み込んだ毛束２束の毛根部分４２、４３を近接させるように、取付糸と毛束をまとめ、次に取付糸ａを用い、取付糸ｂ、ｃの２本に対して、ボタンかがり用結びで結んだ結び目Ｙを作って、強固にかつら取付糸を毛根部分に固定させるものである。
【００１７】
【実施例】
図９は、本発明において、１本のかつら取付糸を用いたかつらの取付部の固定・形成方法を示す図である。
【００１８】
図９において、１本のかつら取付糸４４の先端部４５を図２に示す金属輪１０に結び、その金属輪１０を壁７にとりつけたフック８に掛け、かつらをとりつける人の頭をはさんで、ささえ棒１２に着脱自在に取りつけた巻き部材１３との間に１本のかつら取付糸９（図９では４４となる）をピーンと張り、かつらの取付部の固定・形成を開始する。
【００１９】
図９において、１本のかつら取付糸４４に対し、毛根部分４６から約１０本の毛髪を束にしてとった毛束４７を取付糸４４の下をくぐらせて、取付糸４４に３回巻きつけ、最後は毛束４７を取付糸の上から手前にたらし、そのたらした毛束４７の上に、毛根部分４８から約１０本の毛髪を束にしてとった毛束４８で押さえて、取付糸４４の下をくぐらせて交叉させ、取付糸４４に３回巻きつけ、最後は毛束４９を取付糸の上から手前にたらし、そのたらし毛束４９の上に、毛根部分５０から約１０本の毛髪を束にしてとった毛束５１で押さえて、取付糸４４の下をくぐらせて交叉させ、取付糸４４に３回巻きつけ、最後は毛束５１を取付糸の上から手前にたらし、次いで、３つの毛束の未端をそれぞれ引っ張って小さくまとめ、かつ、全体を右から左に詰め、３ヶの毛束の編み込みを終了する。
【００２０】
次は、次の新らしい毛束で毛束５１を押さえ、取付糸４４の下をくぐらせ交叉させ、取付糸４４に３回巻きつけ、最後は新らして毛束を取付糸の上から手前にたらす操作を３回行ったら、３つの毛束を小さくまとめ、かつ、全体を右から左へ詰める。この工程を毛髪のあるところの全周にわたって操作し、最後は図１に示す結び目３と同じに１本の取付糸４４を結んでかつらの取付部の固定・形成は完了する。
【００２１】
【発明の効果】
本発明は、１〜１０本のかつら取付糸によるかつらの取付部の固定・形成において、かつら取付糸の先端部分を、頭部と離れて設けた固定部又は頭部の最初の編込部の逆進行方向の毛束にとりつけた固定部に固定することによって、全部の取付糸を均等に緊張させて作業をスムースに行うことができ、かつ、１人の技術者で毛束の編み込みを著じるしく楽に行うことができるようになった。
【図面の簡単な説明】
【図１】２本のかつら取付糸によるかつらの取付部の固定・形成の従来法を示す図である。
【図２】１本のかつら取付糸の固定法の１例を示す図である。
【図３】１本のかつら取付糸の編込部の逆進行方向の毛束への固定法の１例を示す図である。
【図４】４本のかつら取付糸の固定法の１例を示す図である。
【図５】４本のかつら取付糸と毛束の編み込みの１例を示す図である。
【図６】３本のかつら取付糸と毛束の編み込みの１例を示す図である。
【図７】２本のかつら取付糸と毛束の編み込みの１例を示す図である。
【図８】３本のかつら取付糸と毛束の編み込みとの結び目を組合せた固定法の１例を示す図である。
【図９】１本のかつら取付糸と毛束の編み込みの１例を示す図である。
【図１】
0003686998.tif 000002
【図２】
0003686998.tif 000003
【図３】
0003686998.tif 000004
【図４】
0003686998.tif 000005
【図５】
0003686998.tif 000006
【図６】
0003686998.tif 000007
【図７】
0003686998.tif 000008
【図８】
0003686998.tif 000009
【図９】
0003686998.tif 000010